(57)【要約】【課題】特性切替用スイッチ（特にはＰＡＤスイッチ）を有するコンデンサマイクロホンにおいて、スイッチノブが吸湿により体積抵抗率が低下したとしても、指でスイッチノブに触れることによるノイズの発生を防止する。【解決手段】マイクロホンケース内にマイクロホンユニットの特性を所定に切り替える特性切替スイッチ、特にはＰＡＤスイッチ３０が設けられ、ＰＡＤスイッチ３０として、複数の固定端子４１〜４３を有するスイッチ本体３２と、スイッチ本体３２に対して摺動可能で所定の固定端子に接続される可動接点部５１を有する合成樹脂製のスイッチノブ３１とを含むスライドスイッチが用いられ、スイッチノブ３１がマイクロホンケースに形成されている開口部内に配置されているコンデンサマイクロホンにおいて、スイッチノブ３１を金属線３４を介してスイッチ本体３２のシールドカバー３３に接続する。【選択図】図１
2010068364.tif 000002
【特許請求の範囲】
【請求項１】
一端側にマイクロホンユニットが装着され、他端側にマイクコードが接続される出力部を備えるマイクロホンケースを備え、上記マイクロホンケース内に上記マイクロホンユニットの特性を所定に切り替える特性切替スイッチが設けられ、上記特性切替スイッチとして、複数の固定端子を有するスイッチ本体と、上記スイッチ本体に対して摺動可能で所定の上記固定端子に接続される可動接点部を有する合成樹脂製のスイッチノブとを含むスライドスイッチが用いられ、上記スイッチノブが上記マイクロホンケースに形成されている開口部内に配置されているコンデンサマイクロホンにおいて、
上記スイッチノブが所定の導電部材を介して上記マイクロホンケース側のシールドに接続されていることを特徴とするコンデンサマイクロホン。
【請求項２】
上記導電部材が金属線で、上記スイッチノブには上記金属線の一端側が差し込まれる穴が形成されていることを特徴とする請求項１に記載のコンデンサマイクロホン。
【請求項３】
上記スイッチ本体には、上記被選択端子に対するシールドカバーが設けられており、上記金属線の他端が上記シールドカバーに接続されていることを特徴とする請求項２に記載のコンデンサマイクロホン。
【請求項４】
上記特性切替スイッチがＰＡＤスイッチであることを特徴とする請求項１ないし３のいずれか１項に記載のコンデンサマイクロホン。
【発明の詳細な説明】
【技術分野】
【０００１】
本発明は、マイクロホンユニットの特性を切り替える特性切替スイッチを有するコンデンサマイクロホンに関し、さらに詳しく言えば、スイッチノブに触れる際に発生するハムノイズを効果的に防止する技術に関するものである。
【背景技術】
【０００２】
図２を参照して、コンデンサマイクロホン１は、金属材料より構成されるマイクロホンケース１０と、マイクロホンケース１０の一端側に装着されるマイクロホンユニット２０とを含み、図示は省略するが、マイクロホンケース１０の他端側には、マイクコードが接続される出力部（出力コネクタ）が設けられている。
【０００３】
マイクロホンユニット２０には、振動板と固定極とを絶縁スペーサを介して対向的に配置してなる静電型の音響電気変換器が収納されている。この種の静電型音響電気変換器はインピーダンスがきわめて高いことから、インピーダンス変換器により低インピーダンスに変換して音声信号を得るようにしている。通常、インピーダンス変換器にはＦＥＴ（電界効果トランジスタ）が用いられている。
【０００４】
コンデンサマイクロホンの一部の機種には、最大許容入力音圧レベルを切り替えるための音圧レベル切替スイッチや、風や外来振動などによる雑音の発生を軽減させるためにローカットスイッチなどのマイクロホンユニットの特性を切り替える特性切替スイッチが設けられている。
【０００５】
図２に例示したコンデンサマイクロホン１は、上記特性切替スイッチのうち、音圧レベル切替スイッチ３０を備えている。
【０００６】
音圧レベル切替スイッチ３０は、例えばドラム楽器の収音時などで過大な音声入力によるインピーダンス変換器の歪みの増加を防止するため、マイクロホンユニットとインピーダンス変換器との間に数１０〜数１００ｐＦ程度のコンデンサを並列に接続して音声入力信号を減衰させるスイッチである。
【０００７】
上記コンデンサは前置減衰器（プリアッテネータデバイス）であることから、音圧レベル切替スイッチ３０はＰＡＤスイッチとも呼ばれている。以下の説明で音圧レベル切替スイッチ３０をＰＡＤスイッチと言うことがある。
【０００８】
通常、ＰＡＤスイッチ３０にはスライドスイッチが用いられ、図２において、そのスイッチノブ３１を−１０ｄＢ側にすると上記コンデンサを含む減衰回路がオンになり、０ｄＢ側にすると上記コンデンサを含む減衰回路がオフとなる。なお、図２に示されている減衰量「−１０ｄＢ」は一例である。
【０００９】
ところで、スイッチノブ３１を操作するため、マイクロホンケース１０には開口部１１が設けられるが、ＰＡＤスイッチ３０は電気インピーダンスがきわめて高いため、雑音源（例えば、強い電磁波を放射する携帯電話機等）と静電結合し雑音が発生することがある。
【００１０】
スイッチノブ３１にはコスト的に安価な樹脂製のものが多用されているが、高湿時に吸湿すると静電結合が助長される。特に、吸湿によってスイッチノブ３１の体積抵抗率が低下すると、指でスイッチノブ３１を触るだけでスイッチの接点部分まで静電結合しハムノイズが発生しやすくなる。
【００１１】
これを防止するには、スイッチノブ３１に例えばフッ素コーティング処理を施して、その表面抵抗率を高めることが考えられるが、これにはスイッチメーカーの協力が必要であり、また、コストアップを伴うことから容易ではない。
【００１２】
特許文献１には、マイクロホンケースに設けられているスイッチ用開口部からの外来電磁波の入り込みを防止するため、スイッチ用開口部に導電布で覆うことが提案されているが、スイッチノブ自体が吸湿して体積抵抗率が低下した場合、導電布は有効ではなく、依然としてスイッチノブに指を触れることによりノイズが発生するおそれがある。
【００１３】
この種の問題は、ＰＡＤスイッチのみでなく、マイクロホンケースにスイッチ用の開口部が設けられ、その開口部内に吸湿により体積抵抗率が低下する合成樹脂製のスイッチノブが配置される他のスイッチについても言える。
【００１４】
【特許文献１】特開２００８−１０３８１８号公報
【発明の開示】
【発明が解決しようとする課題】
【００１５】
したがって、本発明の課題は、コンデンサマイクロホンにおいて、マイクロホンケースのスイッチ用開口部内に配置される特性切替用のスイッチノブが吸湿により体積抵抗率が低下したとしても、指でそのスイッチノブに触れることによるノイズの発生を防止することにある。
【課題を解決するための手段】
【００１６】
上記課題を解決するため、本発明は、一端側にマイクロホンユニットが装着され、他端側にマイクコードが接続される出力部を備えるマイクロホンケースを備え、上記マイクロホンケース内に上記マイクロホンユニットの特性を所定に切り替える特性切替スイッチが設けられ、上記特性切替スイッチとして、複数の固定端子を有するスイッチ本体と、上記スイッチ本体に対して摺動可能で所定の上記固定端子に接続される可動接点部を有する合成樹脂製のスイッチノブとを含むスライドスイッチが用いられ、上記スイッチノブが上記マイクロホンケースに形成されている開口部内に配置されているコンデンサマイクロホンにおいて、上記スイッチノブが所定の導電部材を介して上記マイクロホンケース側のシールドに接続されていることを特徴としている。
【００１７】
本発明の好ましい形態によると、上記導電部材が金属線で、上記スイッチノブには上記金属線の一端側が差し込まれる穴が形成される。
【００１８】
また、本発明のさらに好ましい形態によると、上記スイッチ本体には、上記被選択端子に対するシールドカバーが設けられており、上記金属線の他端が上記シールドカバーに接続される。
【００１９】
本発明は、ＰＡＤスイッチのほかに、吸湿により体積抵抗率が低下するスイッチノブを有する例えばローカットスイッチなどの各種の特性切替スイッチにも適用可能であるが、とりわけ電気インピーダンスがきわめて高いＰＡＤスイッチ３０に好適である。
【発明の効果】
【００２０】
本発明によれば、スイッチノブを所定の導電部材を介してマイクロホンケース側のシールドに接続するようにしたことにより、たとえスイッチノブが吸湿により体積抵抗率が低下したとしても、指でそのスイッチノブに触れることによるノイズの発生を効果的に防止することができる。
【００２１】
また、導電部材として金属線を用い、スイッチノブには金属線の一端側が差し込まれる穴を形成して、その穴の金属線の一端側を差し込むようにしたことにより、容易に金属線（導電部材）とスイッチノブとを電気的・機械的に接続することができる。
【００２２】
また、スイッチ本体に被選択端子に対するシールドカバーが設けられている場合には、金属線の他端をシールドカバーに接続すればよく、これにより、スイッチノブを容易にマイクロホンケース側のシールドに電気的に接続することができる。
【発明を実施するための最良の形態】
【００２３】
次に、図１により、本発明の実施形態について説明するが、本発明はこれに限定されるものではない。図１（ａ）は本発明のコンデンサマイクロホンに適用される特性切替スイッチを示す正面図、図１（ｂ）は背面図、図１（ｃ）は図１（ａ）のＡ−Ａ線に沿った断面図である。なお、この実施形態においても、特性切替スイッチをＰＡＤスイッチとしている。
【００２４】
図１（ａ）〜（ｃ）に示すように、このＰＡＤスイッチ３０は、スイッチノブ３１が摺動可能に取り付けられるスイッチ本体３２を備えている。スイッチノブ３１およびスイッチ本体３２はともに合成樹脂材からなる。
【００２５】
スイッチノブ３１は、図２に示すように、マイクロホンケース１０に形成されている開口部１１内に配置される。スイッチ本体３２は、マイクロホンケース１０内に収納されている回路基板に取り付けられる。
【００２６】
この実施形態において、スイッチ本体３２には、３つの固定端子４１，４２，４３が貫設されている。図１（ａ）において、中央の固定端子４１は、図示しないコンデンサマイクロホンユニットとインピーダンス変換器（ＦＥＴ）のゲートとの間に接続される共通端子で、活線端子４１ａと所定のシールドに接続される接地端子４１ｂとを備えている。
【００２７】
図１（ａ）において、右側の固定端子４２は、先に説明したコンデンサを含む前置減衰回路をオフとする０ｄＢ端子で、活線端子４２ａと所定のシールドに接続される接地端子４２ｂとを備えている。
【００２８】
図１（ａ）において、左側の固定端子４３は、上記コンデンサを含む前置減衰回路をオンとする−１０ｄＢ端子で、活線端子４３ａと所定のシールドに接続される接地端子４３ｂとを備えている。なお、「−１０ｄＢ」は一例である。
【００２９】
これに対して、スイッチノブ３１には、可動接点部５１が設けられている。可動接点部５１には、２つの活線端子（４１ａと４２ａとの間もしくは４１ａと４３ａとの間）に跨る活線側可動接点５１ａと、２つの接地端子（４１ｂと４２ｂとの間もしくは４１ｂと４３ｂとの間）に跨る接地側可動接点５１ｂとが含まれている。
【００３０】
これによれば、図１（ａ）において、スイッチノブ３１を左側の実線位置に切り替えることにより、共通の固定端子４１と−１０ｄＢ側の固定端子４３とが接続され、上記コンデンサを含む前置減衰回路がオン、すなわち上記減衰用のコンデンサがマイクロホンユニットとインピーダンス変換器との間に並列に接続され、音声入力信号が−１０ｄＢ減衰される。
【００３１】
これに対して、スイッチノブ３１を右側の２点鎖線位置に切り替えることにより、共通の固定端子４１と０ｄＢ側の固定端子４２とが接続され、上記コンデンサを含む前置減衰回路がオフ、すなわち上記減衰用のコンデンサがインピーダンス変換器のゲートから切り離され、音声入力信号の減衰量が０ｄＢとなる。
【００３２】
なお、スイッチ本体３２には、スイッチノブ３１の摺動範囲の全面を覆うようにシールドカバー３３が設けられている。このシールドカバー３３は、好ましくはマイクロホンケースに内蔵されている回路基板のグランドパターンに接続される。
【００３３】
本発明では、スイッチノブ３１が吸湿により体積抵抗率が低下した状態のとき、指で触れることにより発生するハムノイズを低減するため、スイッチノブ３１をマイクロホンケース側のシールドに接続する。
【００３４】
スイッチノブ３１が接続されるマイクロホンケース側のシールドは、例えば内蔵されている回路基板のグランドパターンやマイクロホンケース自体であってもよいが、この実施形態では、構成および組立作業性の簡素化をはかるため、このＰＡＤスイッチ３０内でスイッチノブ３１のシールドを完結するようにしている。
【００３５】
すなわち、図１（ｂ），（ｃ）に示すように、スイッチノブ３１を金属線３４を介してＰＡＤスイッチ３０のシールドカバー３３に接続する。金属線３４には、好ましくは容易に弾性変形する金属線を用いる。
【００３６】
金属線３４をスイッチノブ３１に取り付けるには、スイッチノブ３１に穴３１ａを開けて、この穴３１ａ内に金属線３４の一端３４ａ側をＬ字状に折り曲げて差し込む。金属線３４の他端３４ｂ側はシールドカバー３３にハンダ付けする。
【００３７】
このように、スイッチノブ３１を金属線３４を介してシールドカバー３３に接続することにより、吸湿によりスイッチノブ３１の体積抵抗率が低下したとしても、ＰＡＤスイッチ３０の接点部分にまで静電結合しなくなるため、スイッチノブ３１を指で触れることによるハムノイズの発生を防止することができる。
【００３８】
なお、金属線３４の他端３４ｂ側のハンダ付け位置は、スイッチノブ３１の摺動範囲のほぼ中央部分とすることが好ましい。また、金属線３４として柔軟に折り曲げることができるリード配線を用いてもよい。
【図面の簡単な説明】
【００３９】
【図１】本発明のコンデンサマイクロホンに適用される特性切替スイッチを示す（ａ）正面図，（ｂ）背面図，（ｃ）Ａ−Ａ線断面図。
【図２】一般的なコンデンサマイクロホンの一部分を示す正面図。
【符号の説明】
【００４０】
１  コンデンサマイクロホン
１０  マイクロホンケース
１１  開口部
２０  マイクロホンユニット
３０  特性切替スイッチ（ＰＡＤスイッチ）
３１  スイッチノブ
３１ａ  穴
３２  スイッチ本体
３３  シールドカバー
３４  金属線
４１，４２，４３  固定端子
５１  可動接点部
【図１】
2010068364.tif 000003
【図２】
2010068364.tif 000004